(57)【要約】      （修正有）【課題】帯域幅を広げると共に、干渉を防止して高周波応答性に優れた圧粉磁心の巻線構造を提供する。【解決手段】貫通孔１１を有する圧粉磁心１０と、第１端２２及び第２端２３を有する第１のエナメル線２０と、第１端３１及び第２端３２を有する第２のエナメル線３０と、を含む。第１のエナメル線の第１端２２と第２のエナメル線の第１端３１とは、１回撚り合わされた後、貫通孔１１を貫通する。第１のエナメル線の第２端２３と第２のエナメル線の第２端３２とは、圧粉磁心に巻かれ、貫通孔１１を貫通する。第１のエナメル線の第２端２３は、圧粉磁心の第１のエナメル線の第１端２２が巻かれた両側にそれぞれ１回巻かれる。第１のエナメル線の第２端２３と第２のエナメル線の第１端３１とは、圧粉磁心の外側において複数回撚り合わされ、共通端が形成される。【選択図】図３ａ
0003188568.tif 000002
【実用新案登録請求の範囲】
【請求項１】
圧粉磁心、第１のエナメル線及び第２のエナメル線を備える高周波応答性に優れた圧粉磁心の巻線構造であって、
前記圧粉磁心は、少なくとも１つの貫通孔を有し、
前記第１のエナメル線は、第１端及び第２端を有し、
前記第２のエナメル線は、第１端及び第２端を有し、
前記第１のエナメル線の第１端と前記第２のエナメル線の第１端３１とは、先ず、少なくとも１回撚り合わされ、その後、前記第１のエナメル線の第１端及び前記第２のエナメル線の第１端は、前記貫通孔１１を貫通し、前記第１のエナメル線の第２端と前記第２のエナメル線の第２端とは、前記圧粉磁心に巻かれた後、前記貫通孔を貫通し、前記第１のエナメル線の第２端は、前記圧粉磁心の前記第１のエナメル線の第１端が巻かれた両側にそれぞれ少なくとも１回巻かれ、その後、前記第１のエナメル線の第２端と前記第２のエナメル線の第１端とは、前記圧粉磁心の外側において複数回撚り合わされ、共通端が形成されることを特徴とする高周波応答性に優れた圧粉磁心の巻線構造。
【請求項２】
前記第１のエナメル線の第１端は、接地線に接続されることを特徴とする請求項１に記載の高周波応答性に優れた圧粉磁心の巻線構造。
【請求項３】
前記第２のエナメル線の第２端は、信号線に接続されることを特徴とする請求項１に記載の高周波応答性に優れた圧粉磁心の巻線構造。
【請求項４】
前記第２のエナメル線の第１端は、前記第１のエナメル線の第２端に更に２回から４回撚り合わされることを特徴とする請求項１に記載の高周波応答性に優れた圧粉磁心の巻線構造。
【請求項５】
前記第２のエナメル線の第２端は、前記圧粉磁心の前記第１のエナメル線の第２端の両側に２回巻かれることを特徴とする請求項１に記載の高周波応答性に優れた圧粉磁心の巻線構造。
【請求項６】
共通端は、中間タップ端子であることを特徴とする請求項１に記載の高周波応答性に優れた圧粉磁心の巻線構造。
【考案の詳細な説明】
【技術分野】
【０００１】
本考案は、圧粉磁心の巻線構造に関し、特に、１対のエナメル線を撚り合わせ、複数の方式によって圧粉磁心に巻線することにより、帯域幅を広げる上、干渉を防止することができる高周波応答性に優れた圧粉磁心の巻線構造に関する。
【背景技術】
【０００２】
図１ａ〜図１ｄを参照する。図１ａは、従来の圧粉磁心の巻線構造を示す左側面図である。図１ｂは、従来の圧粉磁心の巻線構造を示す正面図である。図１ｃは、従来の圧粉磁心の巻線構造を示す右側面図である。図１ｄは、従来の圧粉磁心の巻線構造を示す底面図である。図１ａ〜図１ｄに示すように、従来の圧粉磁心の巻線構造は、一般に、圧粉磁心１１０、第１のエナメル線１２０及び第２のエナメル線１３０を有する。圧粉磁心１１０は、貫通孔１１１を有する。第１のエナメル線１２０の第１端１２１は、先ず、貫通孔１１１を貫通した後、圧粉磁心１１０に１回巻かれる。第２のエナメル線１３０の第１端１３１は、貫通孔１１１を貫通した後、圧粉磁心１１０の第１のエナメル線１２０の両側に２回巻かれる。その後、第１のエナメル線１２０の第１端１２１と第２のエナメル線１３０の第１端１３１とは、圧粉磁心１１０の外側において、複数回撚り合わされ、共通端が形成される。しかし、上述の従来の圧粉磁心の巻線構造は、以下（１）及び（２）に示す欠点を有する。（１）第１のエナメル線１２０及び第２のエナメル線１３０が平行配置されるため、通電されると、第１のエナメル線１２０と第２のエナメル線１３０との間で相互干渉が発生する。（２）１，５２５ＭＨｚの高周波を伝送する際の効果に劣る。
【０００３】
図２ａ〜図２ｃを参照する。図２ａは、従来の圧粉磁心の巻線構造を分配器中に応用した際の無線周波数信号入力コネクタから無線周波数信号第１出力コネクタまでの間の挿入損失を示す図である。図２ｂは、従来の圧粉磁心の巻線構造を分配器中に応用した際の無線周波数信号入力コネクタから無線周波数信号第２出力コネクタまでの間の挿入損失を示す図である。図２ｃは、従来の圧粉磁心の巻線構造を分配器中に応用した際の無線周波数信号第１出力コネクタから無線周波数信号第２出力コネクタまでの間の隔離度を示す図である。
【０００４】
図２ａに示すように、分配器の無線周波数信号入力コネクタから無線周波数信号第１出力コネクタまでの間の▽４〜▽６の部分の挿入損失は、それぞれ−３．７５６７ｄＢ、−４．０７９５ｄＢ及び−９．４７３２ｄＢである。
【０００５】
図２ｂに示すように、分配器の無線周波数信号入力コネクタから無線周波数信号第２出力コネクタまでの間の▽４〜▽６の部分の挿入損失は、それぞれ−３．８５３５ｄＢ、−４．１７２８ｄＢ及び−９．３６９６ｄＢである。
【０００６】
図２ｃに示すように、分配器の無線周波数信号第１出力コネクタから無線周波数信号第２出力コネクタまでの間の▽５〜▽６の部分の隔離度は、それぞれ−２６．２５４ｄＢ及び−１６．９７８ｄＢである。
【０００７】
即ち、従来の圧粉磁心の巻線構造を使用した分配器は、▽５（１．１２５ＧＨｚ）の部分の挿入損失又は隔離度が明らかに悪化するため、改善が求められていた。
【０００８】
上述の従来の圧粉磁心の巻線構造の欠点に鑑み、本考案は、高周波応答性に優れた圧粉磁心の巻線構造を提供するものである。
【先行技術文献】
【特許文献】
【０００９】
【特許文献１】特開２０１３−２６４９９号公報
【考案の概要】
【考案が解決しようとする課題】
【００１０】
本考案の第１の目的は、１対のエナメル線を撚り合わせ、複数の方式によって圧粉磁心に巻線することにより、帯域幅を広げる上、干渉を防止することができる高周波応答性に優れた圧粉磁心の巻線構造を提供することにある。
本考案の第２の目的は、信号干渉を低減し、高周波伝送の放射損失を防止することができる高周波応答性に優れた圧粉磁心の巻線構造を提供することにある。
【課題を解決するための手段】
【００１１】
上述の課題を解決するために、本考案は、高周波応答性に優れた圧粉磁心の巻線構造を提供するものである。本考案の高周波応答性に優れた圧粉磁心の巻線構造は、圧粉磁心、第１のエナメル線及び第２のエナメル線を含む。
【００１２】
圧粉磁心は、少なくとも１つの貫通孔を有する。
【００１３】
第１のエナメル線は、第１端及び第２端を有する。
【００１４】
第２のエナメル線は、第１端及び第２端を有する。
【００１５】
第１のエナメル線の第１端と第２のエナメル線の第１端とは、先ず、少なくとも１回撚り合わされる。その後、第１のエナメル線の第１端及び第２のエナメル線の第１端は、貫通孔を貫通する。第１のエナメル線の第２端及び第２のエナメル線の第２端は、圧粉磁心に巻かれた後、貫通孔を貫通する。第１のエナメル線の第２端は、圧粉磁心の第１のエナメル線の第１端が巻かれた両側にそれぞれ少なくとも１回巻かれる。その後、第１のエナメル線の第２端と第２のエナメル線の第１端とは、圧粉磁心の外側において複数回撚り合わされ、共通端が形成される。
【考案の効果】
【００１６】
本考案の高周波応答性に優れた圧粉磁心の巻線構造は、１対のエナメル線を撚り合わせ、複数の方式によって圧粉磁心に巻線することにより、帯域幅を広げる上、干渉を防止することができる。また、信号干渉を低減し、高周波伝送の放射損失を防止することができる。また、１，６７５ＭＨｚの高周波伝送の際の効果が優れる。
【図面の簡単な説明】
【００１７】
【図１ａ】従来の圧粉磁心の巻線構造を示す左側面図である。
【図１ｂ】従来の圧粉磁心の巻線構造を示す正面図である。
【図１ｃ】従来の圧粉磁心の巻線構造を示す右側面図である。
【図１ｄ】従来の圧粉磁心の巻線構造を示す底面図である。
【図２ａ】従来の圧粉磁心の巻線構造を分配器中に応用した際の無線周波数信号入力コネクタから無線周波数信号第１出力コネクタまでの間の挿入損失を示す図である。
【図２ｂ】従来の圧粉磁心の巻線構造を分配器中に応用した際の無線周波数信号入力コネクタから無線周波数信号第２出力コネクタまでの間の挿入損失を示す図である。
【図２ｃ】従来の圧粉磁心の巻線構造を分配器中に応用した際の無線周波数信号第１出力コネクタから無線周波数信号第２出力コネクタまでの間の隔離度を示す図である。
【図３ａ】本考案の高周波応答性に優れた圧粉磁心の巻線構造を示す左側面図である。
【図３ｂ】本考案の高周波応答性に優れた圧粉磁心の巻線構造を示す正面図である。
【図３ｃ】本考案の高周波応答性に優れた圧粉磁心の巻線構造を示す右側面図である。
【図３ｄ】本考案の高周波応答性に優れた圧粉磁心の巻線構造を示す底面図である。
【図４ａ】本考案の高周波応答性に優れた圧粉磁心の巻線構造を分配器中に応用した際の無線周波数信号入力コネクタから無線周波数信号第１出力コネクタまでの間の挿入損失を示す図である。
【図４ｂ】本考案の高周波応答性に優れた圧粉磁心の巻線構造を分配器中に応用した際の無線周波数信号入力コネクタから無線周波数信号第２出力コネクタまでの間の挿入損失を示す図である。
【図４ｃ】本考案の高周波応答性に優れた圧粉磁心の巻線構造を分配器中に応用した際の無線周波数信号第１出力コネクタから無線周波数信号第２出力コネクタまでの間の隔離度を示す図である。
【考案を実施するための形態】
【００１８】
本考案の目的、特徴及び効果を示す実施形態を図面に沿って詳細に説明する。
【００１９】
図３ａ〜図３ｄを参照する。図３ａは、本考案の高周波応答性に優れた圧粉磁心の巻線構造を示す左側面図である。図３ｂは、本考案の高周波応答性に優れた圧粉磁心の巻線構造を示す正面図である。図３ｃは、本考案の高周波応答性に優れた圧粉磁心の巻線構造を示す右側面図である。図３ｄは、本考案の高周波応答性に優れた圧粉磁心の巻線構造を示す底面図である。
【００２０】
図３ａ〜図３ｄに示すように、本考案の高周波応答性に優れた圧粉磁心の巻線構造は、圧粉磁心１０、第１のエナメル線２０及び第２のエナメル線３０が組み合わされて構成される。
【００２１】
圧粉磁心１０は、例えば、円柱形であり、少なくとも１つの貫通孔１１を有する。
【００２２】
第１のエナメル線２０は、第１端２２及び第２端２３を有する。
【００２３】
第２のエナメル線３０は、第１端３１及び第２端３２を有する。
【００２４】
第１のエナメル線２０の第１端２２と第２のエナメル線３０の第１端３１とは、先ず、少なくとも１回撚り合わされる。その後、第１のエナメル線２０の第１端２２及び第２のエナメル線３０の第１端３１は、貫通孔１１を貫通する。第１のエナメル線２０の第２端２３及び第２のエナメル線３０の第２端３２は、圧粉磁心１０に巻かれた後、貫通孔１１を貫通する。第１のエナメル線２０の第２端２３は、圧粉磁心１０の第１のエナメル線２０の第１端２２が巻かれた両側にそれぞれ少なくとも１回巻かれる。その後、第１のエナメル線２０の第２端２３と第２のエナメル線３０の第１端３１とは、圧粉磁心１０の外側において複数回撚り合わされ、共通端が形成される。
【００２５】
第１のエナメル線２０の第１端２２は、例えば、接地線に接続される。
【００２６】
第２のエナメル線３０の第２端３２は、例えば、信号線に接続される。共通端は、中間タップ端子である。上述の構造により、本考案の高周波応答性に優れた圧粉磁心の巻線構造を巻線比が４：１で、中間タップ端子を有する変圧器とすることができる。
【００２７】
第２のエナメル線３０の第１端３１は、第１のエナメル線２０の第２端２３に例えば更に２回から４回撚り合わされる。
【００２８】
第２のエナメル線３０の第２端３２は、圧粉磁心１０の第１のエナメル線２０の第２端２３の両側に例えば２回巻かれる。第１のエナメル線２０及び第２のエナメル線３０上を通過する電流信号が流動する際、電磁場が発生し、平行に通電する第１のエナメル線２０及び第２のエナメル線３０に相互干渉が発生する。しかし、本考案においては、第２のエナメル線３０の第１端３１と第１のエナメル線２０の第２端２３とが２回から４回撚り合わされた後、圧粉磁心１０の外側に平らに貼られるため、電磁場の方向が中和される。また、接地端に接続される第１のエナメル線２０の第１端２２が圧粉磁心１０の第１のエナメル線２０の第２端２３の両側に少なくとも１回巻かれ（本実施形態中、２回を例示する）、様々な巻線方式によって１回巻かれた第２のエナメル線３０の信号線が被覆されるため、伝送信号が放射損失するのを防止することができ、周波数帯を広げることができる。
【００２９】
図４ａ〜図４ｃを参照する。図４ａは、本考案の高周波応答性に優れた圧粉磁心の巻線構造を分配器中に応用した際の無線周波数信号入力コネクタから無線周波数信号第１出力コネクタまでの間の挿入損失を示す図である。図４ｂは、本考案の高周波応答性に優れた圧粉磁心の巻線構造を分配器中に応用した際の無線周波数信号入力コネクタから無線周波数信号第２出力コネクタまでの間の挿入損失を示す図である。図４ｃは、本考案の高周波応答性に優れた圧粉磁心の巻線構造を分配器中に応用した際の無線周波数信号第１出力コネクタから無線周波数信号第２出力コネクタまでの間の隔離度を示す図である。
【００３０】
本考案の高周波応答性に優れた圧粉磁心の巻線構造を分配器（図示せず）中に応用した場合、分配器は、無線周波数信号入力コネクタ、無線周波数信号第１出力コネクタ及び無線周波数信号第２出力コネクタを有する。無線周波数入力コネクタは、信号を分配器中に入力する。無線周波数信号第１出力コネクタは、無線周波数信号をテレビユニット（図示せず）に出力する。無線周波数信号第２コネクタは、無線周波数信号を他のテレビユニット（図示せず）に出力する。無線周波数信号第１出力コネクタと無線周波数信号第２出力コネクタとの間は、応用される周波数帯において、信号を相互伝送することができる。分配器は、従来技術であり、本考案の特徴を示す技術ではないため、ここでは、説明しない。
【００３１】
分配器の無線周波数信号入力コネクタから無線周波数信号第１出力コネクタまでの間の▽４〜▽６の部分の挿入損失は、それぞれ−３．５６７８ｄＢ、−３．６９６３ｄＢ及び−３．９２７１ｄＢである。図２ａに示す従来の圧粉磁心の巻線構造を使用した分配器の場合、無線周波数信号入力コネクタから無線周波数信号第１出力コネクタまでの間の▽４〜▽６の部分の挿入損失がそれぞれ−３．７５６７ｄＢ、−４．０７９５ｄＢ及び−９．４７３２ｄＢであることから、本考案の圧粉磁心の巻線構造を使用した分配器は、無線周波数信号入力コネクタから無線周波数第１出力コネクタまでの間の挿入損失が小さく、伝送周波数帯を１．７ＧＨｚまで広げることができる。
【００３２】
図４ｂに示すように、分配器の無線周波数信号入力コネクタから無線周波数信号第２出力コネクタまでの間の▽４〜▽６の部分の挿入損失は、それぞれ−３．４１８２ｄＢ、−３．４３８５ｄＢ及び−３．６４４５ｄＢである。図２ｂに示す従来の圧粉磁心の巻線構造を使用した分配器の場合、無線周波数信号入力コネクタから無線周波数信号第２出力コネクタまでの間の▽４〜▽６の部分の挿入損失がそれぞれ−３．８５３５ｄＢ、−４．１７２８ｄＢ及び−９．３６９６ｄＢであることから、本考案の圧粉磁心の巻線構造を使用した分配器は、無線周波数信号入力コネクタから無線周波数第２出力コネクタまでの間の挿入損失が小さく、伝送周波数帯を１．７ＧＨｚまで広げることができる。
【００３３】
図４ｃに示すように、分配器の無線周波数信号第１出力コネクタから無線周波数信号第２出力コネクタまでの間の▽７〜▽９の部分の隔離度は、それぞれ−２３．７７９ｄＢ、−１６．６１０ｄＢ及び−１７．９９１ｄＢである。図２ｃに示す従来の圧粉磁心の巻線構造を使用した分配器の場合、分配器の無線周波数信号第１出力コネクタから無線周波数信号第２出力コネクタまでの間の▽５〜▽６の部分の隔離度は、それぞれ−２６．２５４ｄＢ及び−１６．９７８ｄＢであることから、本考案の圧粉磁心の巻線構造を使用した分配器は、無線周波数信号第１出力コネクタから無線周波数信号第２出力コネクタまでの間において優れた隔離度を有し、１，１２５ＭＨｚ〜１，６７５ＭＨｚ間において優れた電気特性を有し、この周波数帯における応用に優れる。
【００３４】
以上の説明から分かるように、本考案の高周波応答性に優れた圧粉磁心の巻線構造は、１対のエナメル線を撚り合わせ、複数の方式によって圧粉磁心に巻線することにより、帯域幅を広げる上、干渉を防止することができる。また、信号干渉を低減し、高周波伝送の放射損失を防止することができる。また、１，６７５ＭＨｚの高周波伝送の際の効果が優れる。即ち、本考案の高周波応答性に優れた圧粉磁心の巻線構造は、従来の圧粉磁心の巻線構造より進歩性を有する。
【符号の説明】
【００３５】
１０  圧粉磁心
１１  貫通孔
２０  第１のエナメル線
２２  第１端
２３  第２端
３０  第２のエナメル線
３１  第１端
３２  第２端
１１０  圧粉磁心
１１１  貫通孔
１２０  第１のエナメル線
１２１  第２端
１３０  第２のエナメル線
１３１  第１端
【図１ａ】
0003188568.tif 000003
【図１ｂ】
0003188568.tif 000004
【図１ｃ】
0003188568.tif 000005
【図１ｄ】
0003188568.tif 000006
【図２ａ】
0003188568.tif 000007
【図２ｂ】
0003188568.tif 000008
【図２ｃ】
0003188568.tif 000009
【図３ａ】
0003188568.tif 000010
【図３ｂ】
0003188568.tif 000011
【図３ｃ】
0003188568.tif 000012
【図３ｄ】
0003188568.tif 000013
【図４ａ】
0003188568.tif 000014
【図４ｂ】
0003188568.tif 000015
【図４ｃ】
0003188568.tif 000016